(57)【要約】【課題】鮨ネタケースの如き冷却貯蔵庫の物品収納室に配置されるＬＥＤ照明ユニットは、直管状の蛍光管の形態をしており、直管状ユニットの両端をソケットに嵌合させることで収容室の上方に取り付けるようになっている。蒸発器により冷却されている収納室の温度は変動するために、該収納室の湿分が結露して電気的な障害を起こすことがあった。【解決手段】発光ダイオードの照明ユニット２０を、多数の発光ダイオード素子３２を配列した長尺基板２４と、前記長尺基板２４をそっくり収納する光透過性の中空筒状部材２２とから構成し、前記中空筒状部材２２の内部を、前記長尺基板２４を収納する第１収納部３４と、乾燥剤３８を収納する第２収納部４０とに区画すると共に、前記第１収納部３４および第２収納部４０を空間的に連通させることにより前記課題を解決した。【選択図】図５
2018068490.tif 000002
【特許請求の範囲】
【請求項１】
内部に物品の収納室(12)が画成された断熱箱体(14)と、前記収納室(12)を冷却する蒸発器(18)と、前記収納室(12)を照明する発光ダイオードの照明ユニット(20)とからなる冷却貯蔵庫において、
前記発光ダイオードの照明ユニット(20)は、多数の発光ダイオード素子(32)を配列した長尺基板(24)と、前記長尺基板(24)をそっくり収納する光透過性の中空筒状部材(22)とからなり、
前記中空筒状部材(22)の内部は、前記長尺基板(24)を収納する第１収納部(34)と、乾燥剤(38)を収納する第２収納部(40)とに区画されると共に、前記第１収納部(34)および第２収納部(40)は空間的に連通している
ことを特徴とする冷却貯蔵庫。
【請求項２】
前記長尺基板(24)を収納する第１収納部(34)には、該長尺基板(24)の少なくとも幅寸法だけ離間して対向する一対のガイド部(36,36)が形成されている請求項１記載の冷却貯蔵庫。
【請求項３】
前記中空筒状部材(22)は、合成樹脂を材質とする押し出し成形品である請求項１または２に記載の冷却貯蔵庫。
【請求項４】
前記乾燥剤(38)は通孔(58)を開設した長尺容器(46)に収容され、該長尺容器(46)が前記第２収納部(40)に収納されている請求項１記載の冷却貯蔵庫。
【請求項５】
前記中空筒状部材(22)は、その一方の開口部を密閉する第１キャップ(26)と、前記中空筒状部材(22)の他方の開口部を密閉すると共に、前記発光ダイオード素子(32)に接続するリード線(54)の引き出し口(28)を備える第２キャップ(30)を有する請求項１〜４の何れか一項に記載の冷却貯蔵庫。
【発明の詳細な説明】
【技術分野】
【０００１】
この発明は冷却貯蔵庫に関し、更に詳しくは、冷却貯蔵庫内の収納室を照らす発光ユニットの改良に関するものである。
【背景技術】
【０００２】
内部に各種食品を冷蔵状態で収納する収納室を備える冷却貯蔵庫が食品業界で広く使用されている。例えば、図６は、鮨屋のカウンターに設置されて、鮨ネタ等の生鮮食材を展示状態で冷蔵する所謂ネタケースと称される冷却貯蔵庫１０を示している。この冷却貯蔵庫１０は、内部に鮨ネタ等の食材を収納し得る収納室１２を有する横長の断熱箱体１４と、前記断熱箱体１４の前面に設けられて前記収納室１２を外部から視認し得るフロントガラス１６と、前記収納室１２の上方に配設されると共に冷凍系から冷媒が供給される蒸発器１８と、前記収納室１２の上方に配設されて該収納室１２を照明する照明ユニット２０とから基本的に構成される。
【０００３】
前記照明ユニット２０の発光源としては、以前は直管型の蛍光灯が使用されていたが、電力消費の経済性が高く、発熱が低くて光度が高い等の利点により、現在では発光ダイオード(以下「ＬＥＤ」という)に入れ替わっている。このＬＥＤを発光源とした照明ユニット２０としては、在来の蛍光管と外形を略同じくする直管タイプが多く採用されている。この直管タイプのＬＥＤ照明ユニットは、前記収納室１２の上部へ取り付ける便宜と、電源へ接続する便宜とのために、従来の蛍光管の場合と同様に、直管状照明ユニットの両端を公知のソケットで支持するようになっている。
【先行技術文献】
【特許文献】
【０００４】
【特許文献１】特開２０１５−１４６９１９号公報
【発明の概要】
【発明が解決しようとする課題】
【０００５】
しかし、前述した直管型のＬＥＤ照明ユニットの両端を一対のソケットで収納室１２の上部に取り付ける構造では、該ソケットの存在によりスペースが大きく占められてしまう難点がある。また冷却貯蔵庫１０の収納室１２の室温は、例えば扉の開閉により外気温が侵入するので、僅かながら上昇したり冷却により下降したりしている。このため、収納室内部の空気に含まれている湿分が凝結して結露し、前記ソケットの接続部に水滴が浸入して電気的障害を生ずる畏れがある。そこで、収納室の内部に乾燥剤を配置して、内部空気が含有する湿分を該乾燥剤で吸収するようにした提案がなされている。しかし、乾燥剤を収容する構造が複雑になってコストが嵩んだり、吸収性が余り良くない等の欠点があった。
【０００６】
本発明は、先に述べた従来のＬＥＤ照明ユニットが内在していた欠点に鑑み、これを好適に解決するべく提案されたものであって、乾燥剤をＬＥＤ基板と共に中空筒状部材に、安定してコンパクトに収容し得る構造を提供することを目的とする。
【課題を解決するための手段】
【０００７】
前記課題を解決し、所期の目的を達成するため請求項１に記載の発明は、
内部に物品の収納室が画成された断熱箱体と、前記収納室を冷却する蒸発器と、前記収納室を照明する発光ダイオードの照明ユニットとからなる冷却貯蔵庫において、
前記発光ダイオードの照明ユニットは、多数の発光ダイオード素子を配列した長尺基板と、前記長尺基板をそっくり収納する光透過性の中空筒状部材とからなり、
前記中空筒状部材の内部は、前記長尺基板を収納する第１収納部と、乾燥剤を収納する第２収納部とに区画されると共に、前記第１収納部および第２収納部は空間的に連通していることを要旨とする。
請求項１に係る発明によれば、中空筒状部材に乾燥剤も併せて収容することができ、しかも内部は空間的に連通しているので中空筒状部材を乾燥状態に維持できる。
【０００８】
請求項２に記載の発明では、前記長尺基板を収納する第１収納部には、該長尺基板の少なくとも幅寸法だけ離間して対向する一対のガイド部が形成されていることを要旨とする。
請求項２に係る発明によれば、多数の発光ダイオード素子を配列した長尺基板を一対のガイド部に保持させることができ、また前記ガイド部に沿って長尺基板を中空筒状部材へ挿入し得るので作業が簡単になる。
【０００９】
請求項３に記載の発明では、前記中空筒状部材は、合成樹脂を材質とする押し出し成形品であることを要旨とする。
請求項３に係る発明によれば、押し出し成形によって長尺基板を収納する第１収納部と乾燥剤を収納する第２収納部とを、簡単に一体的に成形することができる。
【００１０】
請求項４に記載の発明では、前記乾燥剤は通孔を開設した長尺容器に収容され、該長尺容器が前記第２収納部に収納されていることを要旨とする。
請求項４に係る発明によれば、各種形状の乾燥剤を長尺容器に収容した状態で使うようにしたので、乾燥剤を定期的に交換する作業を容易になし得る。
【００１１】
請求項５に記載の発明では、前記中空筒状部材は、その一方の開口部を密閉する第１キャップと、前記中空筒状部材の他方の開口部を密閉すると共に、前記発光ダイオード素子に接続するリード線の引き出し口を備える第２キャップを有することを要旨とする。
【発明の効果】
【００１２】
本発明に係る冷却貯蔵庫によれば、発光ダイオード素子を配設した長尺基板を中空筒状部材に収納する際に、併せて乾燥剤を該中空筒状部材の内部に収納し得る構成にしたので、収納室の温度が変動して中空筒状部材に結露を生じ得る場合であっても、前記乾燥剤により湿分が吸収されるため結露することがない。
【図面の簡単な説明】
【００１３】
【図１】(ａ)は、本発明に係る中空筒状部材を透明状態で示す断面斜視図であって、一端部の開口を第１キャップで封止した状態を示し、(ｂ)は、第１キャップの斜視図である。
【図２】(ａ)は、図１に示す中空筒状部材において、他端部の開口を第２キャップで封止した状態を示す斜視図であり、(ｂ)は、第２キャップの斜視図である。
【図３】本発明に係る冷却貯蔵庫の縦断斜視図である。
【図４】図３に円Ａで囲んで示す部分の拡大斜視図である。
【図５】図１に示す中空筒状部材のＡ−Ａ線断面図である。
【図６】冷却貯蔵庫の一例として、鮨屋に設置されるネタケースを示す一部破断斜視図である。
【図７】図６に示すネタケースのＡ−Ａ線断面図である。
【発明を実施するための形態】
【００１４】
本発明に係る冷却貯蔵庫の実施例を、添付図面を参照して以下説明する。なお、図６および図７で示した冷却貯蔵庫に関して説明した部材と同じ部材については、同じ参照符号で指示するものとする。また、冷却貯蔵庫として、図示例は鮨屋の所謂ネタケースを挙げているが、本発明はこれに限定されるものでなく、例えばスーパーマーケット等の食品売場で使用される扉付き冷蔵ショーケースや、通常の冷却貯蔵庫であっても良い。
【００１５】
本発明の実施例に係る照明ユニット２０は、図１(ａ)および図２(ａ)に示す如く、光透過性の中空筒状部材２２と、この中空筒状部材２２の内部にそっくり収納される長尺基板２４と、該中空筒状部材２２の一方の開口部を密閉(封止)する第１キャップ２６(図１(ｂ)参照)と、該中空筒状部材２２の他方の開口部を密閉すると共に、前記長尺基板２４に配列した多数のＬＥＤ素子に接続するリード線５４の引き出し口２８を備える第２キャップ３０(図２(ｂ)参照)とから構成される。すなわち、前記中空筒状部材２２は、長尺基板２４に配列したＬＥＤ素子からの光を極力損失することなく透過させる透明または半透明の合成樹脂を基材とし、前記合成樹脂を押し出し成形することで、例えば図５に示すように内部が２つの収容部(後述)に区画された断面形状を有している。なお、前記中空筒状部材２２は、全体が光透過性を有するものであっても、また前記収納室１２に指向する側の面だけに光透過性を持たせたものであってもよい。例えば、合成樹脂を押し出し成形して一本ものの製品を得る場合に、部分的に光透過性を有させると共に、他の部分に遮光性を有させる技術が既に確立している。従って、前記押し出し成形を行うに際して、前記中空筒状部材２２における収納室側の面だけを透明または半透明とし、それ以外の面を例えば黒く着色した不透明の遮光面としてもよい。また、収納室側の面が透明または半透明な材質からなる半体と、不透明な材質からなる半体とを合体させて前記中空筒状部材２２としてもよい。
【００１６】
前記中空筒状部材２２の一方の端部における開口部は、図１(ｂ)に示す第１キャップ２６を密着的に嵌入させることで封止されている。また、前記中空筒状部材２２の他方の端部における開口部は、図２(ｂ)に示す第２キャップ３０を密着的に嵌入させることで封止されている。なお、前記第２キャップ３０には、中空筒状部材２２に収納される長尺基板２４のＬＥＤ素子に電気的に接続した前記リード線５４を外部へ引き出す引き出し口２８が開設されている。ここで前記引き出し口２８には、例えばゴムやコーキング剤等からなる密閉プラグ５６が充填され、前記リード線５４は該密閉プラグ５６から水密的に引き出されて、例えば前記収納室１２に隣接する機械室(図示せず)の制御電源に接続される。
【００１７】
前記中空筒状部材２２に収納される長尺基板２４は、例えば図２(ａ)および図５に示すように、電気絶縁材料を素材とする長尺の矩形板体であって、該長尺基板２４の一方の面(図５では下面)に多数のＬＥＤ素子３２が所定間隔で列状に配置されている。また、これらＬＥＤ素子３２に接続する前記リード線５４は、前述した如く、中空筒状部材２２における第２キャップ３０の前記引き出し口２８を介して外方へ導出される。
【００１８】
前記長尺基板２４は、図５に横断面で示す中空筒状部材２２の第１収納部３４へ長手方向に挿入されることで、該中空筒状部材２２の内部に収納される。すなわち、中空筒状部材２２の内部は、図５に示すように、やや左に偏位して立設した隔壁４２によって、前記長尺基板２４を収納する第１収納部３４と、後述する乾燥剤３８を収納する第２収納部４０とに区画されている。この第１収納部３４には、一対のレール状のガイド部４４，４４が対向的に形成されて、前記長尺基板２４の幅寸法より少し大きめの寸法だけ離間している。更に、前記レール状の各ガイド部４４は、図５において上下に離間し、かつ水平に僅かに延出する一対の舌片４４ａ，４４ａを有し、前記長尺基板２４の長手方向の両端部が前記一対の舌片４４ａ，４４ａの間に挿入されることで、前記第１収納部３４に安定して保持される。このとき、長尺基板２４に配列したＬＥＤ素子３２の発光面は第１収納部３４の下方へ指向させてあり、これにより前記収納室１２を効率的にライトアップし得るようになっている。また、前記第１収納部３４と第２収納部４０とは、後述する乾燥剤３８との関係で、中空筒状部材２２の内部において空間的に連通している。
【００１９】
先に述べたように、前記冷却貯蔵庫１０の収納室１２は扉の開閉等によって外部の熱が侵入し、該収納室１２の冷却温度も僅かではあるが上昇したり冷却により下降したりする。このため、前記中空筒状部材２２は封止されていても、該中空筒状部材２２の内壁面や長尺基板２４のＬＥＤ素子３２に結露を生じて水分が付着する可能性がある。この可能性を考慮して、乾燥剤３８を中空筒状部材２２の内部に配設して水分を吸収させ、収納室１２を乾燥状態に維持することが好ましい。この目的のため乾燥剤３８は、図１(ａ)および図５に示すような長尺容器４６に収納し、該長尺容器４６を前記第２収納部４０へ長手方向に挿入するようになっている。この場合、前記乾燥剤３８を収納する長尺容器４６の頂部に多数の通孔５８が開設してあり、また第１収納部３４と第２収納部４０とは前述したように空間的に連通しているので、中空筒状部材２２における収納室１２は乾燥状態に保たれ、従って結露による電気系統への障害の畏れもなくなる。なお、乾燥剤３８としては、ペレット状やタブレット状にしたシリカゲルや分子篩が使われるが、その他吸湿部を板状にしたシート状のものであってもよい。
【００２０】
前記長尺基板２４および乾燥剤３８を収容した中空筒状部材２２は、図４に示すように、ネタケース１０の天板４８を内部から支持するトップフレーム５０に成形した長尺のレール状保持部５２に挿入されて、該収納室１２の上方に取り付けられる。従って、照明ユニット２０を収納室１２へ取り付ける場合や、該照明ユニット２０をメンテナンスのために収納室１２から取り出す際の作業を簡単になし得る。
【符号の説明】
【００２１】
１２  収納室，１４  断熱箱体，１８  蒸発器，２０  照明ユニット，
２２  中空筒状部材，２４  長尺基板，２６  第１キャップ，２８  引き出し口，
３０  第２キャップ，３２  ＬＥＤ素子(発光ダイオード素子)，３４  第１収納部，
３６  ガイド部，３８  乾燥剤，４０  第２収納部，４６  長尺容器，
５４  リード線，５８  通孔
【図１】
2018068490.tif 000003
【図２】
2018068490.tif 000004
【図３】
2018068490.tif 000005
【図４】
2018068490.tif 000006
【図５】
2018068490.tif 000007
【図６】
2018068490.tif 000008
【図７】
2018068490.tif 000009